(57)【要約】【課題】観察対象部位に付着している汚れ等の除去を行いつつ検査が可能な内視鏡用光学アダプタを提供する。【解決手段】内視鏡用光学アダプタ１０は、内視鏡３の操作部６から延出する挿入部８の先端部８ａに着脱交換可能であって、内視鏡用光学アダプタ１０は、大径部１３、および、大径部１３の基端側に設けられた小径部１４を有するアダプタ本体１１と、小径部１４の外周面１４ｆから外方に突出した大径部１３の突出部１３ａに設けられ、操作部６側から延出された機能部材である流体供給チューブ９を取付固定するための固定部としての第１の貫通孔１７と、を具備している。【選択図】図４
2016139005.tif 000002
【特許請求の範囲】
【請求項１】
内視鏡の操作部から延出する挿入部の先端部に着脱交換可能な内視鏡用光学アダプタにおいて、
前記内視鏡用光学アダプタは、
大径部、および、前記大径部の基端側に設けられた小径部を有するアダプタ本体と、
前記小径部の外周面から外方に突出した前記大径部の突出部に設けられ、前記操作部側から延出された機能部材を取付固定するための固定部と、
を具備することを特徴とする内視鏡用光学アダプタ。
【請求項２】
前記太径部の突出部に、複数の固定部を設けたことを特徴とする請求項１に記載の内視鏡用光学アダプタ。
【請求項３】
前記固定部は、前記太径部の突出部の先端面側及び背面側に開口を有する貫通孔であって、
前記貫通孔内には前記機能部材の先端部分がそれぞれ配置されることを特徴とする請求項１または請求項２に記載の内視鏡用光学アダプタ。
【請求項４】
複数の機能部材は、流体を噴出する流体用チューブと、前記内視鏡の先端部から脱落した際に回収を可能にするためのワイヤであることを特徴とする請求項３に記載の内視鏡用光学アダプタ。
【請求項５】
前記貫通孔は、
前記流体用チューブの先端部分が配置される固定部と、該貫通孔の先端面側の開口を有するノズル部と、を含むことを特徴とする請求項４に記載の内視鏡用光学アダプタ。
【請求項６】
前記貫通孔内に前記流体用チューブの先端部分が連結固定される連結パイプを配置することを特徴とする請求項４に記載の内視鏡用光学アダプタ。
【請求項７】
前記連結パイプの先端部を前記貫通孔の先端開口から突出させる構成において、
前記貫通孔を前記内視鏡の先端部に内蔵された撮像素子の撮像面の短辺側に設けることを特徴とする請求項６に記載の内視鏡用光学アダプタ。
【請求項８】
管内に挿入される内視鏡挿入部の先端部を構成する先端部構成部材の先端側に該先端構成部材の外周面から外方に突出する突出部を設け、該突出部に当該突出部の先端面側及び背面側に開口を有する少なくとも１つの流体用チューブの先端部分を配置するための貫通孔を有する固定部を設けたことを特徴とする内視鏡。
【請求項９】
請求項５−７の何れか１項に記載の内視鏡用光学アダプタの構成を具備することを特徴とする請求項８に記載の内視鏡。
【発明の詳細な説明】
【技術分野】
【０００１】
本発明は、流体チューブを外付け可能な内視鏡用光学アダプタ及び内視鏡に関するものである。
【背景技術】
【０００２】
従来より、内視鏡装置は、工業分野及び医療分野において利用されている。内視鏡装置は、観察対象物内に挿入される挿入部を有する内視鏡と、観察対象物内を撮像して得られた内視鏡画像を表示する表示部等を備えた本体装置と、を主に有して構成されている。
【０００３】
工業分野で利用される内視鏡は、細長の挿入部をボイラ、タービン、エンジン等の内部に挿入して、傷の有無、或いは、腐食の有無等の観察、検査を行う際に使用される。この内視鏡においては、挿入部の先端部に対して着脱交換可能な光学アダプタが複数種類用意されている。複数の光学アダプタには、視野角を変更する光学アダプタ、観察方向を変更する光学アダプタ等がある。
【０００４】
内視鏡の挿入部を、例えば、航空機のエンジン内部に挿入してブレードの傷の有無の検査を行う場合、該ブレードにオイル等が付着していると検査を行うことが困難になる。
【０００５】
また、オイル等が付着して汚れている状況下においては、表示部に表示された内視鏡画像を観察して、単なる汚れであるか、クラック等の欠陥であるか判別することが難しかった。
【０００６】
このため、ブレードの検査を行う場合、現状においては、エンジンを分解してブレードの洗浄を行い、その後、検査を行っている。
【０００７】
特許文献１には処置具による処置対象である汚れた粘膜面に、汚粘膜洗浄ノズルから十分な勢いで洗浄水を吹き付けて洗浄することができる内視鏡の先端部が開示されている。  
【先行技術文献】
【特許文献】
【０００８】
【特許文献１】特開２００２−３２５７２２号公報
【発明の概要】
【発明が解決しようとする課題】
【０００９】
しかしながら、エンジンを分解する作業、エンジンを再組立する作業は非常に手間のかかる作業であった。このため、エンジンを分解すること無く、内視鏡による検査でブレードの欠陥の有無を検査したいという要望がある。
【００１０】
なお、特許文献１の技術を、光学アダプタが挿入部の先端部に着脱交換可能な工業用内視鏡に転用した場合、内視鏡の構造が複雑になるとともに挿入部が太径になるおそれがある。
【００１１】
本発明は上記事情に鑑みてなされたものであって、内視鏡の構造を複雑にすること無く、観察対象部位に付着している汚れ等の除去を行いつつ検査が可能な内視鏡用光学アダプタ及び内視鏡を提供することを目的にしている。
【課題を解決するための手段】
【００１２】
本発明の一態様の内視鏡用光学アダプタは、内視鏡の操作部から延出する挿入部の先端部に着脱交換可能な内視鏡用光学アダプタであって、前記内視鏡用光学アダプタは、大径部、および、前記大径部の基端側に設けられた小径部を有するアダプタ本体と、前記小径部の外周面から外方に突出した前記大径部の突出部に設けられ、前記操作部側から延出された機能部材を取付固定するための固定部と、を具備している。
【００１３】
また、本発明の一態様の内視鏡は、管内に挿入される内視鏡挿入部の先端部を構成する先端部構成部材の先端側に該先端構成部材の外周面から外方に突出する突出部を設け、該突出部に当該突出部の先端面側及び背面側に開口を有する少なくとも１つの流体用チューブの先端部分を配置するための貫通孔を有する固定部を設けている。
【発明の効果】
【００１４】
本発明によれば、内視鏡の構造を複雑にすること無く、観察対象部位に付着している汚れ等の除去を行いつつ検査が可能な内視鏡用光学アダプタ及び内視鏡を実現できる。
【図面の簡単な説明】
【００１５】
【図１】内視鏡装置の構成を説明する図
【図２】内視鏡用光学アダプタを説明する斜視図
【図３】図２の内視鏡用光学アダプタの正面図
【図４】図３の矢印Ｙ４−Ｙ４線断面図
【図５】流体供給チューブを大径部に一体固定した内視鏡用光学アダプタを説明する図
【図６】内視鏡装置によるブレード検査を説明する図
【図７】第１の貫通孔を２つ設けた内視鏡用光学アダプタの構成及び作用を説明する図
【図８】第１の貫通孔に流体チューブの先端部分を固定するためのストレート穴部を設けた内視鏡用光学アダプタの構成及び作用を説明する図
【図９】第１の貫通孔に接続パイプを介して流体チューブを固定する内視鏡用光学アダプタの構成を説明する図
【図１０】第１の貫通孔を撮像素子の撮像面短辺側に設けた内視鏡用光学アダプタの構成及び作用を説明する図
【図１１】第１の貫通孔を先端構成部材に設けた内視鏡を説明する図
【発明を実施するための形態】
【００１６】
以下、図面を参照して本発明の実施形態を説明する。  
なお、以下の説明に用いる各図において、各構成要素を図面上で認識可能な程度の大きさとするため、構成要素毎に縮尺を異ならせてあるものもある。また、本発明は、これらの図に記載された構成要素の数量、構成要素の形状、構成要素の大きさの比率、及び各構成要素の相対的な位置関係のみに限定されるものではない。
【００１７】
図１−図６を参照して内視鏡用光学アダプタを有する内視鏡装置の構成及び作用を説明する。  
図１に示すように内視鏡装置１は、メインユニットである本体部２と、本体部２に接続されるスコープユニット（内視鏡）３と、内視鏡外部装置である流体供給装置４と、を含んで主に構成されている。
【００１８】
本体部２は、内視鏡画像、操作メニュー等が表示される表示装置としての液晶パネル（以下、ＬＣＤと略す）５を備えている。ＬＣＤ５は、内視鏡画像等が表示される表示部である。
【００１９】
スコープユニット３は、操作部６と、細長なユニバーサルケーブル７と、可撓性を有して細長なチューブ体である挿入部８と、を有している。  
挿入部８は、操作部６の一方側から延出されており、先端側には先端部８ａ、湾曲部８ｂが設けられている。湾曲部８ｂは、先端部８ａの基端側に連設されている。
【００２０】
先端部８ａには、図示しない撮像ユニットが内蔵されている。撮像ユニットは、例えばＣＣＤセンサまたはＣＭＯＳセンサ等の撮像素子と、撮像素子の撮像面側にレンズ等の光学部材を配置した撮像光学系と、を備えて構成されている。  
先端部８ａには後述する内視鏡用光学アダプタ（以下、内視鏡アダプタと略記する）１０が着脱交換可能である。
【００２１】
ユニバーサルケーブル７は、操作部６と本体部２とを接続する電気ケーブルであって、操作部６の一方側とは異なる他方側から延出されて本体部２に対して着脱可能である。
【００２２】
操作部６には、湾曲操作部６ａが設けられている。ユーザが湾曲操作部６ａを傾倒操作することによって、湾曲部８ｂを上下左右の所望する方向に湾曲させることができるようになっている。
【００２３】
なお、操作部６には、フリーズボタン、記録指示ボタン等の各種操作ボタンも設けられている。ユーザは、各種操作ボタンを操作して、被写体の撮像、動画記録、静止画記録等を行うことができるようになっている。  
また、ＬＣＤ５にタッチパネルが設けられている場合、ユーザは、タッチパネルを操作して内視鏡装置１の種々の操作指示を行うことも可能である。
【００２４】
流体供給装置４は、チューブ接続口４ａを有している。チューブ接続口４ａには、流体供給チューブ９の端部に設けられた接続コネクタ９ａが着脱可能である。流体供給装置４内には図示しないタンク及び流体ポンプが内蔵されている。タンク内には、例えば洗浄用アルコール等の洗浄液が貯留される。ポンプは、流体を供給するためのポンプである。
【００２５】
チューブ接続口４ａに接続コネクタ９ａが接続された状態において、ユーザが図示されていないリモコンスイッチ、フットスイッチ等を操作してポンプを駆動状態にすると、タンク内のアルコールが流体供給チューブ９に供給され、該チューブ９の先端側の開口９ｂから噴出されるようになっている。
【００２６】
図２−図４を参照して内視鏡アダプタ１０を説明する。  
図２に示すように内視鏡アダプタ１０は、アダプタ本体１１と固定用リング１２とを有している。
【００２７】
アダプタ本体１１は、大径部１３と、小径部１４と、を有する。大径部１３は、内視鏡アダプタ１０の先端側を構成する。本実施形態において、大径部１３の中心位置と小径部１４の中心位置とは位置ずれしている。小径部１４は、大径部１３の基端側に設けられ、該小径部１３の基端部分には着脱部となる固定用リング１２が回動自在に配設されている。  
なお、大径部１３の中心位置と小径部１４の中心位置とが同心であってもよい。
【００２８】
図２、図３に示すように内視鏡アダプタ１０は、アダプタ本体１１の先端面１１ｆに、対物光学系１５を構成する先端レンズ１５ａと、照明光学系１６を構成する照明窓１６ａと、例えば２つの貫通孔１７、１８の先端開口１７ａ、１８ａと、が設けられている。
【００２９】
図４に示すようにアダプタ本体１１には、対物光学系用貫通孔１１ｈ１と、照明光学系用孔１１ｈ２と、が設けられている。対物光学系用貫通孔１１ｈ１の中心軸と、照明光学系用孔１１ｈ２の中心軸とは、アダプタ本体１１の長手軸１１ａに対して平行である。
【００３０】
対物光学系用貫通孔１１ｈ１は、例えば段付き孔である。対物光学系１５は、対物光学系用貫通孔１１ｈ１内に先端レンズ１５ａに加えて２つの光学レンズ１５ｂ、１５ｃ、絞り（不図示）、間隔環（不図示）を含む光学部材を配設して構成されている。
【００３１】
照明光学系用孔１１ｈ２も段付き孔であって、照明光学系１６は、照明光学系用孔１１ｈ２内に照明窓１６ａに加えてライトガイドファイバ束１６ｂを配設して構成されている。
【００３２】
なお、光学レンズの数は２つに限定されるものでは無く、１つ又は２つ以上であってもよい。また、ライトガイドファイバ束１６ｂの代わりにリレーレンズを配設する構成であってもよい。また、対物光学系用貫通孔１１ｈ１、照明光学系用貫通孔１１ｈ２は、図に示す段付き孔に限定されるものでは無く、他の形状の段付き孔、或いは、ストレート孔であってもよい。
【００３３】
固定用リング１２の基端側内周面には雌ねじ部１２ｆが設けられている。  
固定用リング１２の雌ねじ部１２ｆは、先端部８ａに設けられた雄ねじ部（不図示）に螺合する構成である。固定用リング１２を回転させて先端部８ａに螺合していくことによって、内視鏡アダプタ１０が先端部８ａに一体的に固設される。  
そして、固定用リング１２を逆方向に回転させて先端部８ａとの螺合状態を解除することによって、内視鏡アダプタ１０を先端部８ａから取り外せる。
【００３４】
図２−図４に示す第１の貫通孔１７は、小径部１４の外周面１４ｆから外方に突出した大径部１３の突出部１３ａに設けられている。第１の貫通孔１７は、第１の固定部であって、例えば、ストレート孔である。
【００３５】
第１の貫通孔１７内には細長な機能部材の一つである流体供給チューブ９の先端部分が挿入配置される。  
第１の貫通孔１７の中心軸は、アダプタ本体１１の長手軸１１ａに対して平行、或いは、対物光学系１５の光軸に交差するように長手軸１１ａに対して傾いて形成されている。
【００３６】
図５に示すように流体供給チューブ９の先端部分は、第１の貫通孔１７の基端開口１７ｂ側から第１の貫通孔１７内に挿通配置され、その後、例えば接着剤によって大径部１３に一体固定される。  
基端開口１７ｂは、突出部１３ａの先端面１１ｆの反対面である背面に形成されている。
【００３７】
なお、図２、図３に示した第２の貫通孔１８も突出部１３ａに第１の貫通孔１７と同様に設けられている。第２の貫通孔１８は、第２の固定部であって、図示は省略するが機能部材の一つであるワイヤ（不図示）の先端部分が挿通される。ワイヤは、第２の貫通孔１８挿通された後、巻き付け固定、或いは、半田固定等によって大径部１３に一体固定されるようになっている。  
なお、固定部を貫通孔１７、１８の代わりに、外周面側開口を有する切欠溝で形成するようにしてもよい。
【００３８】
ここで、上述のように構成した内視鏡装置１の作用を説明する。  
航空機のエンジン内部のブレードを内視鏡検査するに当たって、作業者は、上述したように内視鏡アダプタ１０の固定用リング１２を先端部８ａに螺合固定して該内視鏡アダプタ１０を先端部８ａに取付固定する。  
内視鏡アダプタ１０の大径部１３には、予め、流体供給チューブ９及びワイヤが一体固定されている。
【００３９】
なお、流体供給チューブ９及びワイヤは、挿入部８に沿うように取り付けられて、操作部６側から延出されている。また、流体供給チューブ９及びワイヤを、内視鏡アダプタ１０を先端部８ａに取付固定した後、大径部１３に固定するようにしてもよい。
【００４０】
次に、作業者は、エンジン外装部材に設けられたアクセスポートを介して内視鏡アダプタ１０が取付固定された挿入部８をエンジン内に挿入し、ＬＣＤ５に表示される内視鏡画像を観察しつつ挿入部８を観察部位に導き、ブレード検査を行う。
【００４１】
作業者は、図６の（Ａ）に示すようにＬＣＤ５上にブレード３０を表示させて検査を行う。ブレード３０の表面にクラックであるか否かを判断することが難しい対象部３１が映し出された状態において、作業者は、対象部３１がオイル３２等の汚れであるかクラック３３であるかを確認するための作業に移行する。
【００４２】
すなわち、作業者は、チューブ９の先端側の開口９ｂから対象部３１に向けてアルコールを噴出させるため、リモコンスイッチ（不図示）を操作して流体供給装置４のポンプを駆動させる。すると、図６の（Ｂ）に示すようにブレード３０の対象部３１に向けてアルコール３４が噴出されていく。
【００４３】
対象部３１がオイル３２であった場合、図６の（Ｃ）に示すように付着していたオイル３１は、噴出されたアルコールによって洗い流され、ブレード３０の表面が出現し、クラックの疑いが解消される。  
これに対して、対象部３１がクラック３３であった場合、図６の（Ｄ）に示すように汚れを洗い流した後、クラック３３であることを確認できる。
【００４４】
このように、挿入部８の先端部８ａに対して着脱交換可能な内視鏡アダプタ１０に大径部１３を設け、流体供給装置４に取り付けられた流体供給チューブ９の先端部分を該大径部１３の突出部１３ａに形成された第１の貫通孔１７に固設する。
【００４５】
この結果、クラックであるか否かを判断することが難しい対象部３１、或いは、汚れた箇所を発見したとき、流体供給装置４のポンプを駆動させて対象部３１に向けてアルコールを噴出させて洗浄を行った後、対象部３１がクラックであるか否かを内視鏡画像から確認できる。
【００４６】
なお、ワイヤを大径部１３に一体固定していることによって、万が一、内視鏡アダプタ１０が先端部８ａから脱落した場合であってもワイヤを引き戻すことによって脱落した内視鏡アダプタ１０の回収を行える。
【００４７】
また、上述した実施形態においては、リモコンスイッチ等を操作して流体供給装置４のポンプを駆動させて対象部３１に向けてアルコールを噴出させるとしている。しかし、リモコンスイッチ等を操作してポンプを駆動させて、流体供給チューブ９の先端側の開口９ｂからアルコール等の液体を噴出する状態と、空気等の気体を噴出させる状態と、を切替可能に構成するようにしてもよい。
【００４８】
さらに、上述した実施形態においては、大径部１３の突出部１３ａに第１の貫通孔１７を１つ設けるとしている。しかし、図７の（Ａ）に示すように大径部１３の突出部１３ａに２つの第１の貫通孔１７Ａ、１７Ｂを設けるようにしてもよい。
【００４９】
この構成において、２つの流体供給チューブ９を用意し、各流体供給チューブ９の先端部分を第１の貫通孔１７Ａと第２の貫通孔１７Ｂとにそれぞれ固定する。この結果、図７の（Ｂ）に示すようにブレード３０に向けて広範囲に渡ってアルコール３４を噴出させることが可能になる。したがって、ブレード３０の広範囲の洗浄を１度に行って汚れ等の除去を行える。
【００５０】
２つの貫通孔１７Ａ、１７Ｂのうち、例えば、一方の第１の貫通孔１７Ａに液体供給用の流体供給チューブ９を固設し、他方の第１の貫通孔１７Ｂに気体供給用の流体供給チューブ９を固設するようにしてもよい。  
この構成において、リモコンスイッチに液体供給スイッチと、気体供給スイッチとを設けることによって、２つのスイッチを適宜操作して液体の供給と気体の供給とを行うことができる。
【００５１】
上述において、突出部１３ａに２つの第１の貫通孔１７Ａ、１７Ｂを設けるとしているが、３つ以上の第１の貫通孔を突出部１３ａに設けるようにしてもよい。また、複数の貫通孔を設ける構成において、１つの貫通孔に液体供給用の流体供給チューブ９を固設し、１つの貫通孔にブラシの挿入部が挿抜自在な処置具用チューブ（不図示）を固設し、残りの貫通孔に液体供給用又は気体供給用の流体供給チューブ９を固設処するようにしてもよい。
【００５２】
また、上述した実施形態においては第１の貫通孔１７をストレート孔としている。しかし、図８の（Ａ）に示すように段付き孔形状の第１の貫通孔４０としてもよい。  
図８の（Ａ）に示すように第１の貫通孔４０は、ストレート穴部４１と、ノズル部４２と、連通孔４３と、を有して段付き孔形状である。
【００５３】
ストレート穴部４１は、流体供給チューブ９の先端部分が固定される固定部であり、孔の軸４０ａに直交する断面形状は円形である。  
ノズル部４２の開口形状は、図８の（Ｂ）に示すような扁平な長穴形状、或いは、図８の（Ｃ）に示すような円形形状等である。  
連通孔４３は、ストレート穴部４１の空間と、ノズル部４２の空間と、を結ぶ流体路であり、流速を変化させる流速調整部としての機能を有する。  
連通部４３の先端開口からノズル部４２の先端開口に至る内面は略テーパー形状である。
【００５４】
この構成によれば、連通孔４３の孔の大きさ及び形状と、ノズル部４２の開口の形状及び大きさを適宜設定することによって、アルコールをブレード３０の広範囲に噴出させること、或いは、狭い範囲に流体を勢いよく噴出させられる。つまり、噴出範囲、噴出量、噴出スピードを、観察対象部位に対応させて設定することが可能である。
【００５５】
上述した内視鏡アダプタ１０においては、流体供給チューブ９の先端部分を大径部１３に一体固定している。しかし、図９に示すように大径部１３の第１の貫通孔１７に連結パイプ５０の先端部分５１を固設し、連結パイプ５０の基端部分５２に流体供給チューブ９の先端部分を固設するようにしてもよい。
【００５６】
また、図１０の（Ａ）に示すように大径部１３の第１の貫通孔１７に連結パイプ５０の中途部５３を固設し、連結パイプ５０の先端部分５１を第１の貫通孔１７の先端開口１７ａから突出させて、該パイプ５０の基端部分（不図示）に流体供給チューブ（不図示）の先端部分を固設するようにしてもよい。
【００５７】
そして、連結パイプ５０の先端部分５１を第１の貫通孔１７の先端開口１７ａから突出させる場合、図１０の（Ｂ）に示すように第１の貫通孔１７を内視鏡の先端部に内蔵された撮像素子の破線に示す撮像面７０の短辺７１側に設ける。
【００５８】
この結果、図１０の（Ｃ）の実線に示すようにＬＣＤ５の短辺である画面左側から連結パイプ５０の先端部分５１が突出して画像中に表示される。このため、作業者は、対象部３１と連結パイプ５０との位置関係を容易に把握して洗浄作業を行うことができる。
【００５９】
なお、撮像面７０の長辺７２側に第１の貫通孔１７を設けた場合、先端開口１７ａから突出する連結パイプ５０の先端部分５１が、破線に示すようにＬＣＤ５の長辺である例えば画面上側から突出する。
【００６０】
また、対物光学系１５の光軸に交差するよう第１の貫通孔１７の中心軸を傾けることによって、第１の貫通孔１７の先端開口１７ａ或いは連結パイプ５０の先端部からアルコールを対象部３１に向けて噴出させることができる。  
さらに、上述した実施形態において、大径部１３の外周面を切り欠いて大径部１３の小型化を図るようにしてもよい。この構成によれば、アクセスポートを介して容易に内視鏡アダプタ１０が取付固定された挿入部８をエンジン内に挿入することが可能になる。
【００６１】
また、第１の貫通孔１７の先端開口１７ａから突出する連結パイプ５０の先端部分５１に例えばプレス加工を施してパイプ先端部を噴出口として加工するようにしてもよい。この結果、上述したように噴出範囲、噴出量、噴出スピードを、観察対象部位に対応させて設定できる。
【００６２】
上述した実施形態においては、挿入部８の先端部８ａに対して着脱交換可能な光学アダプタ１０のアダプタ本体１１に小径部１４の外周面から外方に突出する突出部１３ａを設け、その突出部１３ａに流体供給チューブ９の先端部分を配置するための固定部としての第１の貫通孔１７を設けていた。
【００６３】
しかしながら、光学アダプタが着脱交換される構成では無い、すなわち、図１１の（Ａ）、（Ｂ）に示す一般の内視鏡の挿入部８０の先端部８１を構成する先端構成部材８２に突出部８３を設け、その突出部８３に第１の貫通孔８４を設けるようにしてもよい。
【００６４】
そして、第１の貫通孔８４には、例えば、連結部材５０の先端部分５１を固設し、連結部材５０の基端部分５２に流体供給チューブ９の先端部分を固設する。
【００６５】
この構成によれば、挿入部８０内に新たに送水チャンネルを設けること無く、洗浄用の液体を噴出するための流体管路を内視鏡の外部に設けることができる。  
【００６６】
なお、連結部材５０の基端は、湾曲部８５の最先端を構成する図示しない先端湾曲駒の基端面より先端側に配置される。また、流体供給チューブ９の先端部分を直接、第１の貫通孔８４に固設するようにしてもよい。さらに、本実施形態においては脱落防止ワイヤが不要である。したがって、突出部８３にワイヤ挿通用の第２の貫通孔を設ける必要が無い。また、突出部８３に第１の貫通孔８４を複数設ける場合、貫通孔には、液体供給用の流体供給チューブ９の他に、ブラシの挿入部が挿抜自在な処置具用チューブ（不図示）、或いは、気体供給用の流体供給チューブ９が固設される。  
その他の構成及び作用は上述した内視鏡アダプタの構成と略同様である。
【００６７】
本発明は、上述した実施形態及び変形例に限定されるものではなく、本発明の要旨を変えない範囲において、種々の変更、改変等が可能である。
【符号の説明】
【００６８】
１…内視鏡装置  ３…スコープユニット（内視鏡）  ６…操作部  ８…挿入部
８ａ…先端部  ９…流体供給チューブ  ９ａ…接続コネクタ  ９ｂ…開口
１０…内視鏡用光学アダプタ（内視鏡アダプタ）１１…アダプタ本体  １３…大径部
１３ａ…突出部  １４…小径部  １４ｆ…外周面  
１７…第１の貫通孔（第１の固定部）
【図１】
2016139005.tif 000003
【図２】
2016139005.tif 000004
【図３】
2016139005.tif 000005
【図４】
2016139005.tif 000006
【図５】
2016139005.tif 000007
【図６】
2016139005.tif 000008
【図７】
2016139005.tif 000009
【図８】
2016139005.tif 000010
【図９】
2016139005.tif 000011
【図１０】
2016139005.tif 000012
【図１１】
2016139005.tif 000013